【手続補正書】
【提出日】平成15年10月28日(2003.10.28)
【手続補正１】
【補正対象書類名】明細書
【補正対象項目名】特許請求の範囲
【補正方法】変更
【補正の内容】
【特許請求の範囲】
【請求項１】
被呼側に所定情報を通知する電話回線に接続されるとともに、外部通信機器を接続する外部接続端子を有する通信装置において、
前記電話回線を、前記外部接続端子に接続された外部通信機器に接続するか又は切り離すように切り換える接続切り換え手段と、
前記外部通信機器が前記所定情報を検出するための所定シーケンスを実行したことにより、前記電話回線から送られてくる前記所定情報をモニターするモニター手段と、
前記接続切り換え手段により前記外部通信機器を前記電話回線に接続した状態で、前記モニター手段により前記所定情報をモニターし、モニターされた所定情報に応じて、前記接続切り換え手段により前記外部通信機器から前記電話回線を切り離し、その後の通信処理を前記通信装置により実行するよう制御する制御手段と、を有することを特徴とする通信装置。
【請求項２】
請求項１において、
前記制御手段は、モニターされた所定情報に応じて、前記接続切り換え手段により前記外部通信機器から前記電話回線を切り離し、その後の通信処理を前記通信装置により実行する際には、前記電話回線からの呼出信号によるリンガーの鳴動を行わずに呼出信号に対して応答することを特徴とする通信装置。
【請求項３】
請求項１において、
前記制御手段は、前記モニターされた所定情報に応じて、前記接続切り換え手段により前記外部通信機器から前記電話回線を切り離した状態で、前記電話回線からの呼出信号の検出処理を行う第１の制御、もしくは、前記接続切り換え手段により前記外部通信機器に前記電話回線を接続した状態で、前記電話回線からの呼出信号の検出処理を行う第２の制御を選択的に行うことを特徴とする通信装置。
【請求項４】
請求項３において、
前記制御手段は、前記第２の制御を行う際には、前記呼出信号の検出に応答してリンガーの鳴動を行うことを特徴とする通信装置。
【請求項５】
請求項１において、
前記通信装置が前記所定シーケンスを実行するか、前記外部通信機器に前記所定シーケンスを実行させるかを、操作者の操作に応じて切り換える切り換え手段を有することを特徴とする通信装置。
【請求項６】
請求項５において、
前記切り換え手段による切り換えに応じて、前記制御手段は前記制御を実行することを特徴とする通信装置。
【請求項７】
請求項１において、
前記接続切り換え手段により前記外部通信機器から前記電話回線を切り離した際に、前記外部通信機器に対して擬似的に電話回線電圧を供給する回線電圧供給手段を有することを特徴とする通信装置。
【請求項８】
請求項１において、
前記所定情報は、発呼側装置のダイヤル番号であることを特徴とする通信装置。
【請求項９】
被呼側に所定情報を通知する電話回線に接続されるとともに、外部通信機器を接続する外部接続端子を有する通信装置の制御方法において、
前記外部接続端子に接続された前記外部通信機器を前記電話回線に接続した状態で、前記外部通信機器が前記所定情報を検出するための所定シーケンスを実行したことにより前記電話回線から送られてくる前記所定情報をモニターし、モニターされた所定情報に応じて、前記外部通信機器から前記電話回線を切り離し、その後の通信処理を前記通信装置により実行するよう制御することを特徴とする通信装置の制御方法。
【請求項１０】
被呼側に所定情報を通知する電話回線に接続されるとともに、外部通信機器を接続する外部接続端子を有する通信装置の制御プログラムを格納したコンピュータにより読み取り可能な記録媒体において、
前記外部接続端子に接続された前記外部通信機器を前記電話回線に接続した状態で、前記外部通信機器が前記所定情報を検出するための所定シーケンスを実行したことにより前記電話回線から送られてくる前記所定情報を前記通信装置によりモニターさせ、モニターされた所定情報に応じて、前記外部通信機器から前記電話回線を切り離し、その後の通信処理を前記通信装置により実行するよう制御するための制御プログラムを格納したことを特徴とする記録媒体。
【手続補正２】
【補正対象書類名】明細書
【補正対象項目名】０００９
【補正方法】変更
【補正の内容】
【０００９】
本発明は、以上の事情を考慮してなされたもので、その課題は、被呼側に所定情報を通知する電話回線に接続される通信装置において、外部に前記所定情報を検出する機能を有する機器が接続される場合に、本通信装置でも外部通信機器でも前記所定情報の検出を支障なく確実に行なえ、さらに、検出した所定情報に応じた適切な制御を行えるようにすることにある。


【手続補正３】
【補正対象書類名】明細書
【補正対象項目名】００１０
【補正方法】変更
【補正の内容】
【００１０】
【課題を解決するための手段】
上記の課題を解決するため、本発明によれば、
被呼側に所定情報を通知する電話回線に接続されるとともに、外部通信機器を接続する外部接続端子を有する通信装置において、
前記電話回線を、前記外部接続端子に接続された外部通信機器に接続するか又は切り離すように切り換える接続切り換え手段と、
前記外部通信機器が前記所定情報を検出するための所定シーケンスを実行したことにより、前記電話回線から送られてくる前記所定情報をモニターするモニター手段と、
前記接続切り換え手段により前記外部通信機器を前記電話回線に接続した状態で、前記モニター手段により前記所定情報をモニターし、モニターされた所定情報に応じて、前記接続切り換え手段により前記外部通信機器から前記電話回線を切り離し、その後の通信処理を前記通信装置により実行するよう制御する制御手段と、を有する構成を採用した。
【手続補正４】
【補正対象書類名】明細書
【補正対象項目名】００１１
【補正方法】変更
【補正の内容】
【００１１】
また、この構成に対応する制御を行う通信装置の制御方法、及びその制御プログラムを格納したコンピュータにより読み取り可能な記録媒体の構成を採用した。
【手続補正５】
【補正対象書類名】明細書
【補正対象項目名】００１２
【補正方法】変更
【補正の内容】
【００１２】
さらに、前記通信装置において、
前記制御手段は、モニターされた所定情報に応じて、前記接続切り換え手段により前記外部通信機器から前記電話回線を切り離し、その後の通信処理を前記通信装置により実行する際には、前記電話回線からの呼出信号によるリンガーの鳴動を行わずに呼出信号に対して応答する構成を採用した。
【手続補正６】
【補正対象書類名】明細書
【補正対象項目名】００１３
【補正方法】変更
【補正の内容】
【００１３】
さらに、前記通信装置において、
前記制御手段は、前記モニターされた所定情報に応じて、前記接続切り換え手段により前記外部通信機器から前記電話回線を切り離した状態で、前記電話回線からの呼出信号の検出処理を行う第１の制御、もしくは、前記接続切り換え手段により前記外部通信機器に前記電話回線を接続した状態で、前記電話回線からの呼出信号の検出処理を行う第２の制御を選択的に行う構成を採用した。
【手続補正７】
【補正対象書類名】明細書
【補正対象項目名】００８０
【補正方法】変更
【補正の内容】
【００８０】
【発明の効果】
以上の説明から明らかなように、本発明によれば、外部通信機器による所定シーケンスの実行により送られてきた所定情報をモニターし、モニターした所定情報に応じて電話回線を外部通信機器から切り離し、その後の通信処理を通信装置により実行するようにしたので、所定情報の検出を支障なく行え、さらに、送られてきた所定情報に応じた制御を適切に行うことができる。


【手続補正８】
【補正対象書類名】明細書
【補正対象項目名】００８１
【補正方法】変更
【補正の内容】
【００８１】
また、本通信装置と外部通信機器の両方で同時に前記所定情報の検出を行なうことができる。しかも、この際に、通信装置側での所定情報の検出は外部通信機器の回路に影響を及ぼさないので、外部通信機器において前記所定情報を誤検出したり、検出できなかったりするおそれはない。


【手続補正９】
【補正対象書類名】明細書
【補正対象項目名】００８２
【補正方法】変更
【補正の内容】
【００８２】
また、所定シーケンスを通信装置側で実行させることも選択的に行え、外部に接続する機器に応じた設定を行うことができる。さらに、外部通信機器を電話回線から切り離しても、擬似的に電話回線電圧を供給することにより、外部通信機器の誤動作を防止することができる。